(57)【要約】【課題】  両筐体を展開させる際や収納させる際の誤操作によって選択項目に割り当てられている機能が実行されるのを防止する。【解決手段】  複数の操作キー３ｂが配列された操作パネル３ａを有する操作筐体３と、複数の選択項目が表示され、選択項目に対するタッチ操作が行われる表示パネル２ａを有する表示筐体２と、操作筐体３及び表示筐体２を連結する連結機構とからなり、操作パネル３ａを露出させたオープン状態と、操作パネル３ａを収納させたクローズ状態とを遷移可能な携帯情報端末であって、タッチ操作の操作開始及び操作終了を検出するタッチパネル１１と、操作開始の検出結果に基づいて選択項目を選択する選択項目選択部１２と、オープン状態及びクローズ状態間の状態遷移を検出する状態遷移検出部１７と、選択中の選択項目に予め割り当てられた機能を操作終了の検出結果及び状態遷移の検出結果に基づいて実行する機能実行部１４により構成される。【選択図】  図３
2010103879.tif 000002
【特許請求の範囲】
【請求項１】
２以上の操作キーが配列された操作パネルを有する操作筐体と、２以上の選択項目が表示され、上記選択項目に対するタッチ操作が行われる表示パネルを有する表示筐体と、上記操作筐体及び上記表示筐体を連結する連結機構とからなり、上記操作パネルを露出させたオープン状態と、上記操作パネルを収納させたクローズ状態とを遷移可能な携帯情報端末において、
上記タッチ操作の操作開始及び操作終了を検出するタッチ操作検出手段と、
上記操作開始の検出結果に基づいて、上記選択項目を選択する選択項目選択手段と、
上記オープン状態及び上記クローズ状態間の状態遷移を検出する状態遷移検出手段と、
選択中の選択項目に予め割り当てられた機能を上記操作終了の検出結果及び上記状態遷移の検出結果に基づいて実行する機能実行手段とを備えたことを特徴とする携帯情報端末。
【請求項２】
上記連結機構が、上記操作筐体の操作パネル側の面と上記表示筐体の表示パネルとは反対側の面とを対向させたまま、操作筐体及び表示筐体を相対的に移動させるスライド機構であることを特徴とする請求項１に記載の携帯情報端末。
【請求項３】
タッチ操作中に上記状態遷移が検出された場合に、当該状態遷移の検出結果に基づいて、タッチ操作が無効化されたことを報知する報知手段を備えたことを特徴とする請求項１又は２に記載の携帯情報端末。
【請求項４】
２以上の操作キーが配列された操作パネルと、２以上の選択項目が表示され、上記選択項目に対するタッチ操作が行われる表示パネルとを有する携帯情報端末において、
上記タッチ操作の操作開始及び操作終了を検出するタッチ操作検出手段と、
上記操作開始の検出結果に基づいて、上記選択項目を選択する選択項目選択手段と、
上記操作キーの操作に基づいて、キー入力信号を生成するキー入力信号生成手段と、
選択中の選択項目に予め割り当てられた機能を上記操作終了の検出結果及び上記キー入力信号に基づいて実行する機能実行手段とを備えたことを特徴とする携帯情報端末。
【請求項５】
タッチ操作中に上記操作キーが操作された場合に、当該操作キーの操作によるキー入力信号に基づいて、タッチ操作が無効化されたことを報知する報知手段を備えたことを特徴とする請求項４に記載の携帯情報端末。
【発明の詳細な説明】
【技術分野】
【０００１】
本発明は、携帯情報端末に係り、さらに詳しくは、複数の操作キーが配列された操作パネルと、複数の選択項目が表示され、選択項目に対するタッチ操作が行われる表示パネルとを有する携帯情報端末の改良に関する。
【背景技術】
【０００２】
表示面を指で触ることによってメニュー画面内の選択項目を操作したり、メニュー画面をスクロールさせることができるタッチパネルを備えた携帯電話機が従来から知られている。この様なタッチパネル付きの携帯電話機では、メニュー画面内に表示されている選択項目を直接に「タッチ」することによって、選択項目を選択し、或いは、選択項目に割り当てられている機能を実行することができる。
【０００３】
しかしながら、操作パネルを有する操作筐体とタッチ操作が行われる表示パネルを有する表示筐体とが連結された携帯情報端末の場合、両筐体を展開させる際、或いは、収納させる際に表示パネルを誤操作してしまうという問題があった。また、操作パネルを露出させたオープン状態では、操作パネル上の操作キーを操作する際、ユーザの端末の保持の仕方によって表示パネルを誤操作してしまうという問題もあった。
【０００４】
なお、特許文献１には、複数の操作キーが同時に操作された際に優先的に実行させるキーイベントを動作状態に応じて異ならせる技術が開示されている。しかしながら、この特許文献１に記載の情報処理装置は、操作筐体及び表示筐体を展開させたり、収納させる際の表示パネルの誤操作によって、選択項目に割り当てられた機能が実行されてしまうのを防止できるものではない。
【特許文献１】特開２００７−９４９１０号公報
【発明の開示】
【発明が解決しようとする課題】
【０００５】
本発明は、上記事情に鑑みてなされたものであり、複数の操作キーが配列された操作パネルと、表示中の選択項目に対するタッチ操作が行われる表示パネルとを有する携帯情報端末の操作性を向上させることを目的としている。特に、両筐体を展開させる際、或いは、収納させる際の誤操作によって選択項目に割り当てられている機能が実行されるのを抑制することができる携帯情報端末を提供することを目的としている。また、操作パネルを露出させたオープン状態での操作キーの操作時に、ユーザの意図しないタッチ操作を検出することによって操作キーによる操作が阻害されない携帯情報端末を提供することを目的としている。
【課題を解決するための手段】
【０００６】
第１の本発明による携帯情報端末は、２以上の操作キーが配列された操作パネルを有する操作筐体と、２以上の選択項目が表示され、上記選択項目に対するタッチ操作が行われる表示パネルを有する表示筐体と、上記操作筐体及び上記表示筐体を連結する連結機構とからなり、上記操作パネルを露出させたオープン状態と、上記操作パネルを収納させたクローズ状態とを遷移可能な携帯情報端末であって、上記タッチ操作の操作開始及び操作終了を検出するタッチ操作検出手段と、上記操作開始の検出結果に基づいて、上記選択項目を選択する選択項目選択手段と、上記オープン状態及び上記クローズ状態間の状態遷移を検出する状態遷移検出手段と、選択中の選択項目に予め割り当てられた機能を上記操作終了の検出結果及び上記状態遷移の検出結果に基づいて実行する機能実行手段とを備えて構成される。
【０００７】
この携帯情報端末では、タッチ操作の操作開始の検出結果に基づいて選択項目が選択され、操作終了の検出結果及び状態遷移の検出結果に基づいて選択中の選択項目に予め割り当てられた機能が実行される。この様な構成により、タッチ操作中にオープン状態及びクローズ状態間の状態遷移が検出された場合には、当該タッチ操作を無視させることができるので、両筐体を展開させる際、或いは、収納させる際の誤操作によって選択項目に割り当てられている機能が実行されるのを抑制することができる。
【０００８】
第２の本発明による携帯情報端末は、上記構成に加え、上記連結機構が、上記操作筐体の操作パネル側の面と上記表示筐体の表示パネルとは反対側の面とを対向させたまま、操作筐体及び表示筐体を相対的に移動させるスライド機構であるように構成される。この様な構成によれば、端末を保持している方の手だけで両筐体をクローズ状態からオープン状態に展開させたり、オープン状態からクローズ状態に収納させる際の誤操作によって選択項目に割り当てられている機能が実行されるのを抑制することができる。
【０００９】
第３の本発明による携帯情報端末は、上記構成に加え、タッチ操作中に上記状態遷移が検出された場合に、当該状態遷移の検出結果に基づいて、タッチ操作が無効化されたことを報知する報知手段を備えて構成される。この様な構成によれば、タッチ操作中に両筐体をクローズ状態から展開させた際、或いは、オープン状態から収納させた際に、タッチ操作が無効化されたことが報知されるので、ユーザは、表示パネルを誤操作したことを認識することができる。
【００１０】
第４の本発明による携帯情報端末は、２以上の操作キーが配列された操作パネルと、２以上の選択項目が表示され、上記選択項目に対するタッチ操作が行われる表示パネルとを有する携帯情報端末であって、上記タッチ操作の操作開始及び操作終了を検出するタッチ操作検出手段と、上記操作開始の検出結果に基づいて、上記選択項目を選択する選択項目選択手段と、上記操作キーの操作に基づいて、キー入力信号を生成するキー入力信号生成手段と、選択中の選択項目に予め割り当てられた機能を上記操作終了の検出結果及び上記キー入力信号に基づいて実行する機能実行手段とを備えて構成される。
【００１１】
この携帯情報端末では、タッチ操作の操作開始の検出結果に基づいて選択項目が選択され、操作終了の検出結果及びキー入力信号に基づいて選択中の選択項目に予め割り当てられた機能が実行される。この様な構成により、タッチ操作中に操作キーが操作された場合には、当該タッチ操作を無視させることができるので、操作パネルを露出させたオープン状態での操作キーの操作中に、ユーザの意図しないタッチ操作によって選択項目に割り当てられている機能が実行されるのを抑制することができる。
【００１２】
第５の本発明による携帯情報端末は、上記構成に加え、タッチ操作中に上記操作キーが操作された場合に、当該操作キーの操作によるキー入力信号に基づいて、タッチ操作が無効化されたことを報知する報知手段を備えて構成される。この様な構成によれば、タッチ操作中に操作パネル上の操作キーが操作されれば、タッチ操作が無効化されたことが報知されるので、ユーザは、表示パネルを誤操作したことを認識することができる。
【発明の効果】
【００１３】
本発明による携帯情報端末によれば、タッチ操作中に状態遷移が検出された場合には、当該タッチ操作を無視させることができるので、両筐体を展開させる際、或いは、収納させる際の誤操作によって選択項目に割り当てられている機能が実行されるのを抑制することができる。また、タッチ操作中に操作キーが操作された場合には、当該タッチ操作を無視させることができるので、操作パネルを露出させたオープン状態での操作キーの操作時の誤操作によって選択項目に割り当てられている機能が実行されるのを抑制することができる。従って、複数の操作キーが配列された操作パネルと、表示中の選択項目に対してタッチ操作が行われる表示パネルとを有する携帯情報端末の操作性を向上させることができる。
【発明を実施するための最良の形態】
【００１４】
図１（ａ）及び（ｂ）は、本発明の実施の形態による携帯情報端末の概略構成の一例を示した図であり、携帯情報端末の一例としてスライド式の携帯電話機１が示されている。図１（ａ）は、正面図であり、図１（ｂ）は、側面図である。この携帯電話機１は、表示パネル２ａを有する薄型の表示筐体２と、操作パネル３ａを有する薄型の操作筐体３と、表示筐体２及び操作筐体３をスライド可能に連結するスライド機構（図示せず）とからなる。
【００１５】
表示パネル２ａは、表示筐体２の一主面に形成され、パネル面を指で触ることによってパネル面内に表示されている選択項目を操作したり、画面をスクロールさせることができるタッチパネルとなっている。ここでは、表示パネル２ａが、上下方向に長い縦長の矩形形状の表示領域を有し、複数の選択項目がその表示領域内に表示されるものとする。選択項目として、例えば、記号化された図形、絵文字などからなるアイコンが表示される。
【００１６】
タッチパネルは、指を近付けた際の静電容量の変化に基づいて、タッチ操作を検出するタッチ操作検出手段である。
【００１７】
操作パネル３ａは、操作筐体３の一主面に形成され、複数の操作キー３ｂが配列されている。操作パネル３ａ上の操作キー３ｂは、接点開閉式スイッチによって構成される入力装置である。ここでは、方向入力のための十字キー、決定キー、ガイドキー、テンキー、オンフックキー、オフフックキーなどが操作キー３ｂとして設けられている。
【００１８】
表示筐体２及び操作筐体３は、いずれも縦長の直方体形状からなり、互いに主面を対向させた状態で連結されている。具体的には、表示筐体２の表示パネル２ａとは反対側の主面と、操作筐体３の操作パネル３ａ側の主面とを対向させて連結されている。
【００１９】
上記スライド機構は、表示筐体２の表示パネル２ａとは反対側の主面と操作筐体３の操作パネル３ａ側の主面とを対向させたまま、表示筐体２及び操作筐体３を相対的に一方向に移動させる連結機構となっている。ここでは、両筐体が、その長手方向、すなわち、上下方向にスライド可能となっており、両筐体を展開させて操作パネル３ａを露出させたオープン状態（展開状態）と、表示筐体２を操作筐体３側へスライドさせて操作パネル３ａを収納させたクローズ状態（収納状態）とが遷移可能となっている。
【００２０】
この携帯電話機１では、複数の選択項目が表示パネル２ａ上に表示され、選択項目に対するタッチ操作を検知して選択項目に割り当てられた機能を実行する動作が行われる。そして、タッチ操作中に、オープン状態及びクローズ状態間の状態遷移が検出された場合と、操作キー３ｂが操作された場合には、当該タッチ操作をキャンセルする動作が行われる。
【００２１】
図２（ａ）及び（ｂ）は、図１の携帯電話機１の構成例を示した斜視図であり、状態遷移を検出するためのマグネット４及び磁気センサー５が筐体内に配設された携帯電話機１が示されている。図２（ａ）には、両筐体を展開させたオープン状態が示され、図２（ｂ）には、両筐体を収納させたクローズ状態が示されている。
【００２２】
磁気センサー５は、オープン状態及びクローズ状態間の状態遷移を検出するための検出手段である。ここでは、磁気センサー５が、ホール（Hall）効果を利用して筐体のスライドによる磁界の変化を検出するホール素子と、その検出信号をデジタル信号に変換して出力する変換回路とが１チップ内に収容されたホールＩＣによって構成されるものとする。
【００２３】
磁気センサー５は、操作筐体３の長手方向の端部に配置され、マグネット４は、表示筐体２の長手方向の端部に配置されている。オープン状態時には、マグネット４及び磁気センサー５間の距離が最大となるのに対して、クローズ状態時には、マグネット４及び磁気センサー５が互いに対向する位置にまで接近し、マグネット４及び磁気センサー５間の距離は最小となっている。
【００２４】
つまり、マグネット４が周囲の空間に発生させる磁界は、磁気センサー５から見れば、端末がオープン状態であるか、或いは、クローズ状態であるかに応じて大きく変化することとなる。この様な磁界の変化を磁気センサー５に検出させることによって、オープン状態及びクローズ状態間の状態遷移を検知することができる。
【００２５】
図３は、図１の携帯電話機１の構成例を示したブロック図であり、携帯電話機１内の機能構成の一例が示されている。この携帯電話機１は、タッチパネル１１、選択項目選択部１２、ＬＣＤ１３、機能実行部１４、キー入力信号生成部１５、メニュー画面表示部１６、状態遷移検出部１７及び報知部１８により構成される。
【００２６】
タッチパネル１１は、ユーザが操作することによって電極の静電容量が変化する現象を利用して表示パネル２ａに対するタッチ操作を検知し、タッチ操作の操作開始及び操作終了を検出するタッチ操作検出手段である。具体的には、タッチ操作の操作開始のタイミング及び操作開始時における表示パネル２ａ上の位置と、操作終了のタイミング及び操作終了時における表示パネル２ａ上の位置が検出される。
【００２７】
メニュー画面表示部１６は、ＬＣＤ（Liquid Crystal Display：液晶ディスプレイ）１３を制御し、例えば、複数の選択項目が配列されたメニュー画面を表示パネル２ａの表示領域内に表示する動作を行っている。
【００２８】
キー入力信号生成部１５は、ユーザによって操作パネル３ａ上の操作キー３ｂが操作された場合に、当該操作キーの操作に基づいて、所定のキー入力信号を生成する動作を行っている。
【００２９】
状態遷移検出部１７は、磁気センサー５からの出力に基づいて、オープン状態及びクローズ状態間の状態遷移を検出する動作を行っている。
【００３０】
選択項目選択部１２は、タッチパネル１１による操作開始の検出結果に基づいて、メニュー画面内の選択項目を選択し、フォーカス表示する動作を行っている。具体的には、タッチ操作の操作開始時における表示パネル２ａ上の操作位置に表示されている選択項目が選択される。
【００３１】
ここで、表示パネル２ａ上の操作位置とは、指をタッチパネル１１に接触させた際の接触位置のことであり、接触状態を保持したまま操作位置が変化すれば、操作位置が移動したと判断される。ここでいう接触状態には、指及びタッチパネル１１が実際に当接している場合だけでなく、指がタッチパネル１１から僅かに離れている場合が含まれるものとする。
【００３２】
選択項目選択部１２によって選択された選択項目は、非選択状態の選択項目とは異なる所定の表示態様でフォーカス表示される。例えば、フォーカス表示された選択項目は、非選択状態の選択項目とは、文字列の背景色、選択項目の大きさ、形状、選択項目の表示色、文字サイズ、フォント、文字色などが異なっている。
【００３３】
機能実行部１４は、選択中の選択項目に予め割り当てられた機能をタッチパネル１１による操作終了の検出結果と、状態遷移検出部１７による状態遷移の検出結果とに基づいて実行する動作を行っている。具体的には、いずれかの選択項目が選択されている場合に、タッチ操作の操作終了が検出されれば、選択中の選択項目に割り当てられている機能を実行する動作が行われる。例えば、フォーカス表示中の選択項目に予め関連付けられた画面に操作対象を切り替える動作が行われる。
【００３４】
一方、いずれかの選択項目が選択されている場合に、オープン状態からクローズ状態への状態遷移、或いは、クローズ状態からオープン状態への状態遷移が検出されれば、誤操作されたと判断して所定のエラー信号を生成し、タッチ操作の操作終了を無視する動作が行われる。つまり、タッチ操作中に状態遷移が検出されれば、その後、タッチ操作の操作終了が検出されても、選択項目に割り当てられている機能は実行されない。
【００３５】
報知部１８は、タッチ操作中に状態遷移が検出された場合に、当該状態遷移の検出結果に基づいて、タッチ操作が無効化されたことを報知する動作を行っている。例えば、タッチ操作がキャンセルされたことを示すメッセージが表示パネル２ａ上に表示される。
【００３６】
選択項目選択部１２では、キー入力信号生成部１５からのキー入力信号に基づいて、選択項目を選択し、フォーカス表示する動作も行われる。すなわち、操作パネル３ａ上の十字キーやテンキーを操作することによって、メニュー画面内の選択項目を選択することもできる。
【００３７】
機能実行部１４では、選択中の選択項目に割り当てられている機能をキー入力信号生成部１５からのキー入力信号に基づいて実行する動作が行われる。例えば、操作パネル３ａ上の決定キーを操作することによって、選択中の選択項目に割り当てられている機能を実行することができる。
【００３８】
この機能実行部１４では、選択中の選択項目に割り当てられている機能をタッチ操作の操作終了の検出結果と、キー入力信号とに基づいて実行する動作が行われる。具体的には、表示パネル２ａに対するタッチ操作によっていずれかの選択項目が選択されている状態で操作キー３ｂが操作された場合に、表示パネル２ａが誤操作されたと判断して所定のエラー信号を生成し、タッチ操作の操作終了を無視する動作が行われる。つまり、タッチ操作中に操作キー３ｂが操作されれば、操作キー３ｂの操作によるキー入力が優先され、その後、タッチ操作の操作終了が検出されても、選択項目に割り当てられている機能は実行されない。
【００３９】
タッチ操作中に状態遷移が検出された際、或いは、操作キー３ｂが操作された際には、例えば、選択項目の選択状態が解除される。
【００４０】
報知部１８では、タッチ操作中に操作キー３ｂが操作された場合に、当該操作キーの操作によるキー入力信号に基づいて、タッチ操作が無効化されたことを報知する動作が行われる。
【００４１】
図４のステップＳ１０１〜Ｓ１０７は、図１の携帯電話機１の動作の一例を示したフローチャートである。まず、選択項目選択部１２は、タッチパネル１１によってタッチ操作が検出されると、当該タッチ操作の操作開始の検出結果に基づいてメニュー画面内の選択項目を選択し、フォーカス表示する（ステップＳ１０１，Ｓ１０２）。
【００４２】
次に、機能実行部１４は、タッチ操作が終了すると、当該タッチ操作の操作終了の検出結果に基づいて、選択中の選択項目に割り当てられている機能を実行する（ステップＳ１０３，Ｓ１０４）。
【００４３】
一方、機能実行部１４は、タッチ操作によっていずれかの選択項目が選択され、フォーカス表示されている期間中に、筐体がスライドされ、状態遷移が検出されると、エラー信号を生成し、当該タッチ操作を無視する（ステップＳ１０３，Ｓ１０５）。このとき、選択項目の選択状態が解除され、タッチ操作の無効が報知される（ステップＳ１０６，Ｓ１０７）。
【００４４】
本実施の形態によれば、タッチ操作中にオープン状態及びクローズ状態間の状態遷移が検出された場合には、当該タッチ操作を無視させることができるので、両筐体を展開させる際、或いは、収納させる際の誤操作によって選択項目に割り当てられている機能が実行されるのを防止することができる。さらに、タッチ操作中に両筐体をクローズ状態から展開させた際、或いは、オープン状態から収納させた際に、タッチ操作が無効化されたことが報知されるので、ユーザは、表示パネル２ａを誤操作したことを認識することができる。
【００４５】
また、タッチ操作中に操作キー３ｂが操作された場合には、当該タッチ操作を無視させることができるので、オープン状態での操作キー３ｂの操作時の誤操作によって選択項目に割り当てられている機能が実行されるのを防止することができる。さらに、タッチ操作中に操作パネル３ａ上の操作キー３ｂが操作されれば、タッチ操作が無効化されたことが報知されるので、ユーザは、表示パネル２ａを誤操作したことを認識することができる。
【００４６】
なお、本実施の形態では、表示パネル２ａに対するタッチ操作中に状態遷移が検出され、或いは、操作キー３ｂの操作によるキー入力が行われれば、タッチ操作が無効化され、選択項目の選択状態が解除される場合の例について説明したが、本発明はこれに限られるものではない。例えば、タッチ操作前にいずれかの選択項目が既に選択されているようなケースにおいて、タッチ操作中における状態遷移の検出結果、或いは、操作キー３ｂの操作によるキー入力に基づいて、タッチ操作の直前に選択されていた選択項目の選択状態に復帰させても良い。
【００４７】
図５（ａ）及び（ｂ）は、本発明の実施の形態による携帯情報端末の他の動作例を示した遷移図である。図５（ａ）には、タッチ操作中における筐体のスライド又はキー操作によって選択項目の選択状態が解除される場合が示されている。図５（ｂ）には、タッチ操作中における筐体のスライド又はキー操作により、タッチ操作直前に選択されていた選択項目の選択状態に復帰する場合が示されている。
【００４８】
ここでは、タッチパネル１１に指を近づけて当接するまでをタッチダウン（ＴＤ）操作、タッチパネル１１に指が接触している状態から指を遠ざけることをタッチアップ（ＴＵ）操作と呼ぶことにする。
【００４９】
このメニュー画面は、端末の各種機能を設定するための選択画面であり、複数の選択項目が配列されている。
【００５０】
ここでは、割り当てられている機能が文字列によって示された４つの選択項目「マナーモード設定」、「ディスプレイ設定」、「きせかえ設定」及び「音・バイブ・ライト設定」が配列されている。
【００５１】
図５（ａ）の場合、例えば、選択項目「きせかえ設定」をＴＤ操作すれば、当該選択項目が選択され、所定の表示態様Ａ２でフォーカス表示される。選択中の選択項目「きせかえ設定」は、非フォーカス状態の選択項目の表示態様Ａ１とは異なる表示態様で表示されている。例えば、非フォーカス状態の選択項目が、黒色の背景上に白色で文字列が表示されているのに対して、選択中の選択項目は、青色の背景上に白色で文字列が表示されている。
【００５２】
選択項目「きせかえ設定」が選択されている状態でＴＵ操作すれば、当該選択項目に割り当てられている機能が選択実行され、操作対象が新たに表示される画面に切り替えられる。
【００５３】
これに対し、タッチ操作中に、筐体のスライドによる状態遷移が検出され、或いは、操作キー３ｂの操作によるキー入力が行われると、選択項目「きせかえ設定」の選択状態が解除され、当該タッチ操作がキャンセルされる。
【００５４】
一方、図５（ｂ）の場合、選択項目「マナーモード設定」が既に選択されており、表示態様Ａ２でフォーカス表示されている。
【００５５】
選択項目「マナーモード設定」が選択されている状態で選択項目「きせかえ設定」をＴＤ操作すれば、当該選択項目にフォーカスが移動する。選択項目「きせかえ設定」が選択されている状態でＴＵ操作すれば、当該選択項目に割り当てられている機能が選択実行され、操作対象が新たに表示される画面に切り替えられる。
【００５６】
これに対し、タッチ操作中に、筐体のスライドによる状態遷移が検出され、或いは、操作キー３ｂの操作によるキー入力が行われると、選択項目「きせかえ設定」の選択状態が解除され、当該タッチ操作がキャンセルされる。このタッチ操作のキャンセルによって、タッチ操作の直前に選択されていた選択項目「マナーモード設定」の選択状態に復帰し、当該選択項目にフォーカスが移動する。
【００５７】
この様にタッチ操作中における状態遷移や操作キー３ｂの操作によって当該タッチ操作の直前の選択状態に復帰させても良い。
【００５８】
また、本実施の形態では、表示筐体２及び操作筐体３を相対的に一方向にスライドさせるスライド式の携帯電話機１に本発明が適用される場合の例について説明したが、これに限られるものではない。例えば、表示筐体及び操作筐体を連結するヒンジ機構によって両筐体を折り畳むことができる折り畳み式の携帯情報端末にも本発明は適用することができる。
【００５９】
なお、本実施の形態では、タッチ操作が無効化されたことを報知部１８がユーザに報知する場合の例について説明したが、本発明はこれに限定するものではなく、報知部１８を備えないものも本発明には含まれる。
【図面の簡単な説明】
【００６０】
【図１】本発明の実施の形態による携帯情報端末の概略構成の一例を示した図であり、携帯情報端末の一例としてスライド式の携帯電話機１が示されている。
【図２】図１の携帯電話機１の構成例を示した斜視図であり、状態遷移を検出するためのマグネット４及び磁気センサー５が配設された携帯電話機１が示されている。
【図３】図１の携帯電話機１の構成例を示したブロック図であり、携帯電話機１内の機能構成の一例が示されている。
【図４】図１の携帯電話機１の動作の一例を示したフローチャートである。
【図５】本発明の実施の形態による携帯情報端末の他の動作例を示した遷移図である。
【符号の説明】
【００６１】
１  携帯電話機
２  表示筐体
２ａ  表示パネル
３  操作筐体
３ａ  操作パネル
３ｂ  操作キー
４  マグネット
５  磁気センサー
１１  タッチパネル
１２  選択項目選択部
１３  ＬＣＤ
１４  機能実行部
１５  キー入力信号生成部
１６  メニュー画面表示部
１７  状態遷移検出部
１８  報知部
Ａ１  非フォーカス状態の表示態様
Ａ２  フォーカス状態の表示態様
【図１】
2010103879.tif 000003
【図２】
2010103879.tif 000004
【図３】
2010103879.tif 000005
【図４】
2010103879.tif 000006
【図５】
2010103879.tif 000007